(57)【要約】【課題】ノックアウト作業を高速かつ安定して行うことができ、ノックアウトピンの移動速度等の調整が容易である鍛造プレスにおけるノックアウト装置を提供する。【解決手段】上下一対の金型によって鍛造素材を成型する鍛造プレスに設けられ、上端部が下金型Ｍの底面から出没自在に設けられたノックアウトピン１１と、ノックアウトピン１１をその軸方向に沿って昇降させる昇降機構とからなるノックアウト装置１０において、ノックアウトピン１１は、鍛造素材を下金型Ｍから離型するための離型用ノックアウトピンと、離型用ノックアウトピンによって下金型Ｍから離型された鍛造素材をリフトするためのリフト用ノックアウトピン１１とを備えており、昇降機構は、各ノックアウトピン１１をそれぞれ駆動する２つの駆動手段を備えている。【選択図】図１
2010207857.tif 000002
【特許請求の範囲】
【請求項１】
上下一対の金型によって鍛造素材を成型する鍛造プレスに設けられ、上端部が前記下金型の底面から出没自在に設けられたノックアウトピンと、該ノックアウトピンをその軸方向に沿って昇降させる昇降機構とからなるノックアウト装置において、
前記ノックアウトピンは、
前記鍛造素材を前記金型から離型するための離型用ノックアウトピンと、
該離型用ノックアウトピンによって前記金型から離型された前記鍛造素材をリフトするためのリフト用ノックアウトピンとを備えており、
前記昇降機構は、
各ノックアウトピンをそれぞれ駆動する２つの駆動手段を備えている
ことを特徴とする鍛造プレスにおけるノックアウト装置。
【請求項２】
前記２つの駆動手段は、
前記離型用ノックアウトピンを駆動する駆動手段が油圧シリンダであり、
前記リフト用ノックアウトピンを駆動する駆動手段がサーボモータ機構である
ことを特徴とする請求項１記載の鍛造プレスにおけるノックアウト装置。
【請求項３】
前記リフト用ノックアウトピンは、
前記離型用ノックアウトピンを貫通し、かつ、該離型用ノックアウトピンに対して相対的に移動可能に設けられている
ことを特徴とする請求項１または２記載の鍛造プレスにおけるノックアウト装置。
【請求項４】
前記離型用ノックアウトピンを駆動する駆動手段が油圧シリンダであり、
前記離型用ノックアウトピンが、前記油圧シリンダのロッドである
ことを特徴とする請求項１、２または３記載の鍛造プレスにおけるノックアウト装置。
【請求項５】
前記リフト用ノックアウトピンを駆動する駆動手段がサーボモータ機構であり、
該サーボモータ機構は、
前記ノックアウトピンの移動方向に沿って、前記離型用ノックアウトピンを駆動する油圧シリンダと直列に配設されている
ことを特徴とする請求項４記載の鍛造プレスにおけるノックアウト装置。
【請求項６】
複数工程を有する鍛造プレスに使用する
ことを特徴とする請求項２記載の鍛造プレスにおけるノックアウト装置。
【発明の詳細な説明】
【技術分野】
【０００１】
本発明は、鍛造プレスにおけるノックアウト装置に関する。
【背景技術】
【０００２】
従来から、プレスにおけるノックアウト装置には、エキセン軸に固定されたカムを利用してノックアウトピンを作動させる機構が採用されている。かかる機構は、カムとノックアウトピンとが機械的に連結されており、ノックアウトピンの駆動力としてエキセン軸の回転力を使用するので、大きなノックアウト力を発生させることができるという利点がある。
しかし、カム機構を採用しているため、ノックアウトのタイミング等を変更するにはカムを交換する必要があり、タイミング等の変更作業が非常に大変である。また、鍛造される鍛造素材にあわせて最適なタイミング等でノックアウトを行うには、ワーク毎にカムを用意しなければならなくなるため、経済的にも問題がある。
【０００３】
かかるカム機構を利用したノックアウト装置の問題点を解決する装置として、油圧シリンダやサーボモータを採用したノックアウト装置が開発されている（例えば、特許文献１，２）。
【０００４】
特許文献１には、油圧シリンダによってノックアウトピンを作動させるノックアウト装置が開示されている。
図４に示すように、かかる装置では、ノックアウトピン123に連結されたノックアウトブロック122がノックアウトレバー121を介して油圧シリンダ120に連結されているから、油圧シリンダ120を伸縮させれば、ノックアウトピン123を昇降させることができる。
そして、油圧シリンダ120によってノックアウトピン123を作動させているから、サーボバルブなどの油圧機器を使用して油圧シリンダ120に供給する油量を制御することによって、ノックアウトのタイミング等をある程度自由に変更することができる。
【０００５】
また、特許文献２には、サーボモータによって作動されるボールネジ機構を利用してノックアウトピンを作動させるノックアウト装置が開示されている。
図５に示すように、かかる装置では、サーボモータ130の主軸にボールネジ131が連結されており、このボールネジ131に螺合したナットホルダ132に駆動アーム133の一端が連結されている。この駆動アーム133の他端は、ノックアウトピン134に連結されているから、サーボモータ130を作動させれば、ナットホルダ132がボールネジ131に沿って移動し、このナットホルダ132の移動と連動してノックアウトピン134を昇降させることができる。
そして、ナットホルダ132の移動によってノックアウトピン134を作動させている、言い換えれば、サーボモータ130の回転によってノックアウトピン134を作動させているから、ノックアウトのタイミング等をある程度自由に変更することができる。
【０００６】
ところで、熱間鍛造プレスの場合、鍛造素材と金型との接触時間が長くなると、鍛造素材の熱が金型に伝達され、その熱によって金型が軟化して金型寿命が短くなるという問題が生じるので、ノックアウト動作には高速性が要求される。
一方、ノックアウト動作が高速化すると、ノックアウトピンの移動速度や移動加速度も大きくなるので、ノックアウトされた鍛造素材の飛び跳ね現象が生じやすくなる。この飛び跳ね現象が発生すると、ノックアウト後金型からリフトされた鍛造素材を所定の位置に配置できなくなるので、鍛造素材を自動搬送することが困難となる。
したがって、熱間鍛造プレスのノックアウト装置には、ノックアウトピンの高速移動に加えて、高速ノックアウトを行っても飛び跳ね現象を生じさせないようにノックアウトピンの移動速度等を制御する機能が要求される。
【０００７】
油圧シリンダを利用したノックアウト装置の場合は、離型時に高速かつ大きなノックアウト力を発揮させることができる。しかし、油圧制御ゆえカム機構に比べて応答性が低いので、離型後のノックアウトピンの移動速度等を正確に制御することが難しく、高速ノックアウト動作を行う場合に飛び跳ね現象等を防ぐことは難しい。とくに、大きなノックアウト力を発生させるために大型の油圧シリンダを採用した場合には、高速応答させることはさらに難しくなる。
一方、サーボモータによって作動されるボールネジ機構を利用したノックアウト装置は応答性が高いので、高速ノックアウト動作を行っても、離型後のノックアウトピンの移動速度等を正確に制御できる。しかし、サーボモータは離型時に大きなノックアウト力を発揮させることが難しい。たしかに、大型のサーボモータを採用すれば大きなノックアウト力を発生させることも可能ではあるが、装置が大型化するし非常に高価であるため設備費が高騰する。
【先行技術文献】
【特許文献】
【０００８】
【特許文献１】特開２０００−２８８６６６号
【特許文献２】特開平１１−１３８２２６号
【発明の概要】
【発明が解決しようとする課題】
【０００９】
本発明は上記事情に鑑み、ノックアウト作業を高速かつ安定して行うことができ、ノックアウトピンの移動速度等の調整が容易である鍛造プレスにおけるノックアウト装置を提供することを目的とする。
【課題を解決するための手段】
【００１０】
第１発明の鍛造プレスにおけるノックアウト装置は、上下一対の金型によって鍛造素材を成型する鍛造プレスに設けられ、上端部が前記下金型の底面から出没自在に設けられたノックアウトピンと、該ノックアウトピンをその軸方向に沿って昇降させる昇降機構とからなるノックアウト装置において、前記ノックアウトピンは、前記鍛造素材を前記金型から離型するための離型用ノックアウトピンと、該離型用ノックアウトピンによって前記金型から離型された前記鍛造素材をリフトするためのリフト用ノックアウトピンとを備えており、前記昇降機構は、各ノックアウトピンをそれぞれ駆動する２つの駆動手段を備えていることを特徴とする。
第２発明の鍛造プレスにおけるノックアウト装置は、第１発明において、前記２つの駆動手段は、前記離型用ノックアウトピンを駆動する駆動手段が油圧シリンダであり、前記リフト用ノックアウトピンを駆動する駆動手段がサーボモータ機構であることを特徴とする。
第３発明の鍛造プレスにおけるノックアウト装置は、第１または第２発明において、前記リフト用ノックアウトピンは、前記離型用ノックアウトピンを貫通し、かつ、該離型用ノックアウトピンに対して相対的に移動可能に設けられていることを特徴とする。
第４発明の鍛造プレスにおけるノックアウト装置は、第１、第２または第３発明において、前記離型用ノックアウトピンを駆動する駆動手段が油圧シリンダであり、前記離型用ノックアウトピンが、前記油圧シリンダのロッドであることを特徴とする。
第５発明の鍛造プレスにおけるノックアウト装置は、第４発明において、前記リフト用ノックアウトピンを駆動する駆動手段がサーボモータ機構であり、該サーボモータ機構は、前記ノックアウトピンの移動方向に沿って、前記離型用ノックアウトピンを駆動する油圧シリンダと直列に配設されていることを特徴とする。
第６発明の鍛造プレスにおけるノックアウト装置は、第２発明において、複数工程を有する鍛造プレスに使用することを特徴とする。
【発明の効果】
【００１１】
第１発明によれば、離型用とリフト用のノックアウトピンをそれぞれ別々に設けており、しかも、各ノックアウトピンはそれぞれ別々の駆動手段によって駆動される。このため、離型時の駆動手段として短ストロークの高速かつ大きなノックアウト力を発揮できるものを採用し、リフト時の駆動手段としてノックアウトピンの移動速度等を正確に制御できるものを採用すれば、鍛造素材を確実に離型させることができ、しかも、鍛造素材の飛び跳ねも確実に防止することができる。
第２発明によれば、離型時の駆動手段が油圧シリンダであるから、短ストロークの高速かつ大きなノックアウト力を効果的に発生させることができ、リフト時の駆動手段がサーボモータ機構であるからノックアウトピンの移動速度等の正確な制御を容易に行うことができる。
第３発明によれば、ノックアウトピンを２つ設けても、その設置スペースを小さくすることができる。
第４発明によれば、離型用のノックアウトピンを、離型用ノックアウトピンを駆動する油圧シリンダのロッドと別に設ける必要がなく、また、ノックアウトピンを設置する位置に油圧シリンダも配置することができるので、装置をコンパクトにでき、その設置スペースも小さくすることができる。
第５発明によれば、油圧シリンダとサーボモータ機構とが、ノックアウトピンの移動方向に沿って直列に配置されているので、ノックアウト装置をコンパクトにでき、その設置スペースも小さくすることができる。
第６発明によれば、サーボモータ機構は個々の工程で個別制御を簡単に行うことができるから、各工程におけるリフト動作を、各工程にそれぞれ適したタイミング、移動速度等に調整することができる。しかも、油圧シリンダによるノックアウトストロークが短いので、各工程における離型タイミングを同じにすることも可能であり、この場合、油圧シリンダの制御系を一系統とすることができるので、装置の構成を簡単にすることができる。
【図面の簡単な説明】
【００１２】
【図１】本実施形態の鍛造プレスのノックアウト装置１０の概略説明図である。
【図２】ノックアウト作業時における本実施形態のノックアウト装置１０の作動を説明した図であり、（Ｉ）は離型作業の説明図であり、（II）はリフト作業の説明図である。
【図３】本実施形態のノックアウト装置１０を適用した複数工程を行う鍛造プレスの要部概略説明図である。
【図４】駆動源として油圧シリンダを採用したノックアウト装置の概略説明図である。
【図５】駆動源としてサーボモータを採用したノックアウト装置の概略説明図である。
【発明を実施するための形態】
【００１３】
つぎに、本発明の実施形態を図面に基づき説明する。
図１において、符号Ｂは鍛造プレスのベッドを示しており、符号ＭはベッドＢの上面に設けられた下金型を示している。図１に示すように、ベッドＢ及び下金型Ｍには、貫通孔Ｂｈ、貫通孔Ｍｈがそれぞれ形成されている。
【００１４】
図１に示すように、下金型Ｍの貫通孔Ｍｈには、本実施形態の鍛造プレスのノックアウト装置１０（以下、ノックアウト装置１０という）の油圧シリンダ３０が配設されている。この油圧シリンダ３０は、その中心軸が貫通孔Ｍｈの中心軸と同軸となり、しかも、そのピストン３２が貫通孔Ｍｈの軸方向に沿って移動するように配設されている。なお、油圧シリンダ３０のシリンダボディ３１は、下金型Ｍに対して移動しないように、貫通孔Ｍｈ内に固定されている。
この油圧シリンダ３０は、前記ピストン３２に連結された上下一対のロッドを備えている。そして、上方のロッド３３は、ピストン３２が上方に移動されると、その上端が下金型Ｍの底面から突出する長さであって、その突出量が少なくなるように形成されている。例えば、下金型Ｍから鍛造素材を引き剥がすために必要な最低限の突出量に調整されている。具体的には、鍛造素材の形状によって差はあるものの、突出量は、５〜２０ｍｍ程度となるように調整されている。
また、油圧シリンダ３０には、そのピストン３２および上下一対のロッドをその中心軸に沿って貫通する貫通孔30hが形成されているが、その理由は後述する。
【００１５】
よって、油圧シリンダ３０のピストン３２を上方に移動させれば、上方のロッド３３をピストン３２の上端を下金型Ｍの底面から突出させることができるし、ピストン３２を下方に移動させれば、上方のロッド３３の上端面を下金型Ｍの底面と同じ高さに配置させることができるのである。  
【００１６】
なお、油圧シリンダ３０は、下金型Ｍに形成された油圧通路を通して油圧回路に接続されており、この油圧回路によってその作動が制御されている。この油圧回路は、サーボバルブなどの油圧機器を使用して、油圧シリンダ３０に供給する油量を制御し油圧シリンダ３０の作動を制御するものであるが、油圧シリンダ３０の作動のタイミング等をある程度自由に変更することができるようになっているものが好ましい。
【００１７】
図１に示すように、前記油圧シリンダ３０の貫通孔30h内には、上下方向に沿って移動可能にリフト用ノックアウトピン１１の上ノックアウトピン11bが配設されている。この上ノックアウトピン11bの下端には、リフト用ノックアウトピン１１の下ノックアウトピン11aの上端が連結されている。この下ノックアウトピン11aは、前記ベッドＢの貫通孔Ｂｈ内に、上下方向に沿って移動可能に配置されている。
なお、リフト用ノックアウトピン１１の下ノックアウトピン11aおよび上ノックアウトピン11bは、その中心軸が、ベッドＢの貫通孔Ｂｈおよび油圧シリンダ３０の貫通孔30hの中心軸とそれぞれ一致するように配設されている。
【００１８】
図１に示すように、前記下ノックアウトピン11aの下端には、この下ノックアウトピン11aを作動させるサーボモータ機構２０が連結されている。
【００１９】
このサーボモータ機構２０は、ベッドＢの底面に固定されたハウジング20hを備えている。このハウジング20hには、その上端に、下ノックアウトピン11aの中心軸と同軸な貫通孔が形成されており、この貫通孔にはスライド２３が配置されている。このスライド２３は、その下端がハウジング20h内に位置し、その上端がハウジング20h外に突出した状態となるように配設されており、その上端には下ノックアウトピン11aの下端が連結されている。そして、スライド２３は、ハウジング20hに対して上下方向へは移動可能であるが、その中心軸周りの回転はできないように貫通孔に取り付けられている。
なお、ハウジング20hの上端には、貫通孔とスライド２３の隙間からハウジング20h内スケール等が侵入することを防ぐために、スケールカバー２４が設けられている。
【００２０】
一方、前記ハウジング20hの下端には、ＡＣサーボモータ２１が固定されている。このＡＣサーボモータ２１は、その主軸がハウジング20h内に位置し、かつ、その主軸が前記下ノックアウトピン11aと同軸となるように配設されている。
このＡＣサーボモータ２１の主軸には、カップリング21cを介して、ボールネジ22aが連結されている。このボールネジ22aは、下ノックアウトピン11aと同軸となるように配設されており、軸受20bによってハウジング20hに対して回転自在となるように取り付けられている。
そして、このボールネジ22aには、前記スライド２３に固定されたボールネジナット22bがネジ結合されている。
【００２１】
以上のごとき構成であるので、ＡＣサーボモータ２１を作動させれば、ボールネジ22aが回転されるので、この回転によりネジ結合されているボールネジナット22bをボールネジ22aに沿って移動させることができ、ボールネジナット22bとともにスライド２３を上下に移動させることができる。すると、スライド２３の上端には、下ノックアウトピン11aが連結されているから、スライド２３の上下に移動に伴って、リフト用ノックアウトピン１１を昇降させることができ、上ノックアウトピン11bの上端を下金型Ｍから出没させることができるのである。
【００２２】
なお、サーボモータ機構２０のＡＣサーボモータ２１は、その作動を制御する制御手段に電気的に接続されており、その作動のタイミングや回転速度等が制御されている。
【００２３】
（ノックアウト装置１０によるノックアウト作業の説明）
つぎに、本実施形態のノックアウト装置１０によるノックアウト作業の説明する。
【００２４】
まず、成形時には、上方のロッド３３の上端面が下金型Ｍの底面と面一となるように（図１の状態）、油圧回路によって油圧シリンダ３０に供給される作動油が制御される。このとき、リフト用ノックアウトピン１１における上ノックアウトピン11bの上端面が油圧シリンダ３０における上方のロッド３３の上端面と面一となるように、サーボモータ機構２０のＡＣサーボモータ２１の作動が制御される。言い換えれば、上ノックアウトピン11bの上端面が下金型Ｍの底面と面一となるように、サーボモータ機構２０のＡＣサーボモータ２１の作動が制御される。
【００２５】
成形が終了すると後、油圧回路から作動油が供給されて油圧シリンダ３０のピストン３２が上方に移動される。すると、油圧シリンダ３０の上方のロッド３３はその上端が下金型Ｍの底面から突出するように移動するので、上方のロッド３３によって鍛造素材が押され鍛造素材が離型される（図２（Ｉ））。
ここで、離型時には、鍛造素材を迅速に下金型Ｍから引き剥がすために、高速かつ大きなノックアウト力を鍛造素材に付与する必要がある。本実施形態のノックアウト装置１０では、油圧シリンダ３０の上方のロッド３３によって鍛造素材を離型するので、高速かつ大きなノックアウト力を効果的に鍛造素材に付与することができる。よって、本実施形態のノックアウト装置１０では、迅速かつ確実に下金型Ｍから鍛造素材を引き剥がすことができる。
【００２６】
しかも、油圧シリンダ３０は、その突出量（つまり、ノックアウトストローク）が少なく、下金型Ｍから鍛造素材を引き剥がすために必要な最低限の突出量に調整されている。このため、離型時に油圧シリンダ内の作動油に蓄えられる弾性エネルギーが小さいので（引き剥がされた瞬間に開放されるエネルギーが小さいので）、離型時には、いわゆる鍛造素材の飛び跳ねが生じる可能性は極めて小さくなる。
【００２７】
なお、離型時には、ＡＣサーボモータ２１は、上ノックアウトピン11bの上端面と上方のロッド３３の上端面とが面一の状態を維持するように作動が制御されるのが望ましい。かかる状態を維持するためには、リフト用ノックアウトピン１１が油圧シリンダ３０のピストン３２と同じタイミングかつ同じ速度で移動するように、ＡＣサーボモータ２１の作動が制御される。すると、離型作業中、リフト用ノックアウトピン１１は、その上ノックアウトピン11bの上端面が常時鍛造素材に接触した状態で移動することになる。
【００２８】
油圧シリンダ３０の上方のロッド３３による鍛造素材の離型が終了すると、リフト用ノックアウトピン１１によるリフト作業が開始される。つまり、上ノックアウトピン11bの上端面が上方のロッド３３の上端面から突出するように、ＡＣサーボモータ２１の作動が制御される（図２（II））。すると、鍛造素材は、上方のロッド３３の上端面から離れ、上ノックアウトピン11bの上端面にのみ接触した状態で上方に移動される。
【００２９】
なお、油圧シリンダ３０は、リフト用ノックアウトピン１１による鍛造素材のリフトが開始すると、成形作業開始時における状態に復帰する。つまり、上方のロッド３３の上端面と下金型Ｍの底面とが面一となるように油圧シリンダ３０に供給される作動油が制御される。
【００３０】
上ノックアウトピン11bの上端面に接触した鍛造素材は、上ノックアウトピン11bの上端面に載せられた状態で、つまり、所定の姿勢のままで所定の搬送位置（以下、単にストローク端という）までリフトされる。すると、その位置でトランスファーフィーダ等の自動搬送装置によって鍛造素材は、次工程に搬出される。
【００３１】
ここで、生産効率を向上させるためには、鍛造素材のリフト速度も高速化する必要があるので、リフト作業中のリフト用ノックアウトピン１１も高速での移動が求められる。しかし、リフト用ノックアウトピン１１のストローク端での加速度が大きい場合（急速に停止させた場合）、鍛造素材の飛び跳ねが発生する可能性が高い。
本実施形態のノックアウト装置１０では、リフト用ノックアウトピン１１の駆動手段としてＡＣサーボモータ２１によって駆動されるサーボモータ機構２０を採用しているので、その応答性が高くリフト用ノックアウトピン１１の移動速度等を正確に制御できる。つまり、ＡＣサーボモータ２１の作動を制御すれば、ストローク端近傍において鍛造素材の飛び跳ねが生じない移動速度および移動加速度となるように、リフト用ノックアウトピン１１の移動を制御することができる。すると、高速でリフト用ノックアウトピン１１を移動させても、鍛造素材を、ストローク端の所定の位置に所定の姿勢で配置することができるから、鍛造素材を確実に自動搬送することができる。
【００３２】
そして、鍛造素材が搬出されれば、リフト用ノックアウトピン１１は成形作業開始時における状態に復帰する。つまり、上ノックアウトピン11bの上端面が、上方のロッド３３の上端面と面一となるようにＡＣサーボモータ２１の作動が制御される。
【００３３】
以上のごとく、本実施形態のノックアウト装置１０では、鍛造素材の離型はノックアウトストロークの短い油圧シリンダ３０によって行い、離型後の鍛造素材のリフトはサーボモータ機構２０によって行っている。よって、離型時には、鍛造素材の飛び跳ねさせることなく高速かつ大きなノックアウト力を確実に鍛造素材に付与でき、また、リフト時には、ストローク端において鍛造素材の飛び跳ねが生じないように、正確にリフト用ノックアウトピン１１を移動できるので、ノックアウト作業を高速化かつ安定して行うことができる。
【００３４】
しかも、油圧シリンダ３０にはロングストロークや高応答、移動速度等の精度が求められないから、大型化や油圧回路の複雑化を防ぐことができる。一方、サーボモータ機構２０のサーボモータ２１には大きなノックアウト力が求められないから、サーボモータの大型化も防ぐことができる。よって、制御系を含めたノックアウト装置１０が、大型化、複雑化することを防ぐことができる。
【００３５】
そして、必要とされる機能が異なる離型時とリフト時において、各工程におけるノックアウトピンを作動させる駆動手段を完全に分けているので、各工程におけるノックアウトピンの制御が容易になりかつ自由度も高くできる。そして、各駆動手段のメンテナンス性を向上させることもできる。
【００３６】
なお、上記の油圧シリンダ３０の上方のロッド３３が特許請求の範囲にいう離型用ノックアウトピンに相当するが、油圧シリンダ３０とは別に離型専用のノックアウトピンを設け、リンク機構などによってこの離型用ノックアウトピンを作動させてもよい。しかし、上記のごとく、油圧シリンダ３０の上方のロッド３３を離型用ノックアウトピンとして使用すれば、リンク機構や離型専用のノックアウトピンを設ける必要がないので、装置をコンパクトにでき、その設置スペースも小さくすることができる。
【００３７】
また、リフト用ノックアウトピン１１の上ノックアウトピン11bが油圧シリンダ３０のロッドを貫通しているので、離型用ノックアウトピン（油圧シリンダ３０の上方のロッド３３）とリフト用ノックアウトピン１１がそれぞれ別々に設けられていても、その設置スペースを小さくすることができる。
しかも、かかる構成とすれば、ノックアウトピンの昇降方向に沿って、油圧シリンダ３０とサーボモータ機構２０とを直列に配置できる。すると、ノックアウト装置１０自体の幅がコンパクトになるし、ノックアウト装置１０の設置スペース、つまり、下金型ＭやベッドＢの断面積に占めるノックアウト装置１０の割合も小さくすることができる。
【００３８】
（多工程プレス）
とくに、本実施形態のノックアウト装置１０は、一台の鍛造プレスで複数の成形を行う多工程プレスにおけるノックアウト装置に適している。つまり、多工程プレスにおける各工程のノックアウト装置として、本実施形態のノックアウト装置１０を採用すれば、上述したように、ノックアウト装置１０の設置スペースを小さくできるので、プレス自体をコンパクト化できる。しかも、この効果に加えて、以下のごとき効果も得らえる。
【００３９】
図３には、２工程の成形を行う鍛造プレスの下金型ＭとベッドＢを示しており、各工程に本実施形態のノックアウト装置１０Ａ，１０Ｂがそれぞれ設けられている。
各工程において、成形後の鍛造素材の形状はそれぞれ異なるため、離型時における飛び跳ねやストローク端での飛び跳ねを防止するために必要なリフト用ノックアウトピン１１Ａ，１１Ｂの移動速度等はそれぞれ異なる。
【００４０】
しかし、本実施形態のノックアウト装置１０の場合には、各工程のリフト用ノックアウトピン１１Ａ，１１Ｂの移動をサーボモータ機構２０Ａ，２０Ｂによって制御している。このため、各サーボモータ機構２０Ａ，２０Ｂの作動をそれぞれ別々に制御すれば、ストローク端における鍛造素材の飛び跳ねを防止することができる。そして、各サーボモータ機構２０Ａ，２０Ｂはサーボモータ２１を駆動源としているので、個々の工程において個別の制御を簡単に行うことができる。よって、各工程におけるリフト動作を、各工程にそれぞれ適したタイミング、移動速度等に簡単に調整することができる。
【００４１】
しかも、油圧シリンダ３０によるノックアウトストロークが短いので、各工程における離型タイミングを実用上問題とならない程度で同じタイミングとすることも可能であり、この場合、油圧シリンダ３０Ａ，３０Ｂの制御系を一系統とすることができる。すると、各工程について、油圧シリンダ３０を制御するための油圧回路をそれぞれ設ける必要がないので、ノックアウト装置１０の構成を簡単にすることができる。そして、鍛造プレス設備も簡単かつコンパクトな構造とすることができるし、メンテナンス性も向上させることができる。勿論、各工程に個別のバルブ等を設けて、各工程における離型タイミングを個別に制御しても良い。
【産業上の利用可能性】
【００４２】
本発明の鍛造プレスにおけるノックアウト装置は、上型の昇降動作によりコイニング、トリミング、絞り、鍛造などの成形が行われるプレスにおけるノックアウト装置として適している。
【符号の説明】
【００４３】
１０        ノックアウト装置
１１        リフト用ノックアウトピン
２０        ボールネジ機構
２１        ＡＣサーボモータ
２２ａ      ボールネジ
２２ｂ      ボールネジナット
３０        油圧シリンダ
３３        上方のロッド
Ｍ        下金型
【図１】
2010207857.tif 000003
【図２】
2010207857.tif 000004
【図３】
2010207857.tif 000005
【図４】
2010207857.tif 000006
【図５】
2010207857.tif 000007